(57)【要約】【課題】  従来の身体保持具によって奏する効果を保持しつつ、認知症老人、身体麻痺者などの椅子使用者の精神的苦痛を和らげることができるとともに、見栄えも比較的良好な椅子用身体保持具１およびこのような椅子用身体保持具１の使用方法を提供する。【解決手段】  椅子使用者の腹部および腿部にそれぞれ対応する腹覆い部１２および腿覆い部１４を少なくとも有する布部材２と、上記椅子使用者の腰部を椅子に保持するために、上記腹覆い部１２に設けられた腰紐部３ａ、３ｂと、上記布部材２から上記椅子使用者の股間を前方から後方へと通って上記椅子に取付けられるために、その基端部側が上記布部材２に連結されている股間紐部４とを備えている。【選択図】  図２
2006280701.tif 000002
【特許請求の範囲】
【請求項１】
椅子使用者の腹部および腿部にそれぞれ対応する腹覆い部および腿覆い部を少なくとも有する布部材と、
上記椅子使用者の腰部を椅子に保持するために、上記腹覆い部に設けられた腰紐部と、
上記布部材から上記椅子使用者の股間を前方から後方へと通って上記椅子に取付けられるために、その基端部側が上記布部材に連結されている股間紐部とを備えていることを特徴とする椅子用身体保持具。
【請求項２】
上記布部材が上記椅子使用者の膝部に対応する膝覆い部をさらに有することを特徴とする請求項１に記載の椅子用身体保持具。
【請求項３】
上記腰紐部が上記椅子使用者の背面で互いに結合することができる左右一対の腰紐部から構成されていることを特徴とする請求項１または２に記載の椅子用身体保持具。
【請求項４】
上記股間紐部の先端部側にループ状部分が設けられ、
上記股間紐部が、上記腰紐部を上記ループ状部分に挿通させた状態でもって、上記腰紐部に結合され得るように構成されていることを特徴とする請求項１〜３のうちのいずれか１項に記載の椅子用身体保持具。
【請求項５】
上記股間紐部の基端部が、上記布部材のうちの上記椅子使用者の股間の上端部にほぼ対応する部分で、上記布部材に連結されていることを特徴とする請求項１〜４のうちのいずれか１項に記載の椅子用身体保持具。
【請求項６】
請求項１〜５のうちのいずれか１項に記載の椅子用身体保持具によって椅子使用者の腰部を椅子の座部上に保持するようにした椅子用身体保持具の使用方法であって、
上記布部材の上記腹覆い部および上記腿覆い部によって上記椅子使用者の上記腹部および上記腿部をそれぞれ覆うとともに、上記股間紐部を上記椅子使用者の股間と上記椅子の座部の下方とを通って上記椅子の後方へと延在させ、
上記腰紐部を上記椅子使用者の左右一対の脇腹に沿って延在させるとともに、上記椅子使用者の背面で上記腰紐部に上記股間紐部を結合するようにしたことを特徴とする椅子用身体保持具の使用方法。
【請求項７】
上記椅子が車椅子であることを特徴とする請求項６に記載の使用方法。
【発明の詳細な説明】
【技術分野】
【０００１】
本発明は、車椅子、その他の椅子に認知症老人、身体麻痺者などの椅子使用者の身体を安全に保持するのに使用される椅子用身体保持具と、このような椅子用身体保持具の使用方法とに関するものである。
【背景技術】
【０００２】
特開平１０−２４８８７６号公報には、認知症老人、身体麻痺者などの車椅子使用者を車椅子に安全に保持するのに使用される車椅子用身体保持具（以下、「上記従来の身体保持具」という。）が開示されている。上記従来の身体保持具は、車椅子に座る車椅子使用者の臀部から股間を通って腹部ないし胸部まで伸びる縦方向に細長い長方形の腰布と、この腰布の一方の短辺に止着された腰紐と、この腰布の他方の短辺の左右両隅部に止着された左右一対のループ状止着具とから構成されている。
【特許文献１】特開平１０−２４８８７６号公報
【０００３】
上記従来の身体保持具を車椅子に使用する際には、車椅子の背もたれ用フレームから上側後方に延びる左右一対のハンドルに左右一対のループ状止着具を引っ掛けてから、腰布を車椅子の背もたれシートの後面に沿わせて下方に向かって延在させるとともに、腰布および腰紐を座席シートと背もたれシートとの隙間から座席シートの上面に沿って前方に向かって引き出して、座席シートの前縁からはみ出させる。そして、この状態において、車椅子使用者を車椅子の座席シート上に座らせてから、腰布を車椅子使用者の股間を通して上方に向かって引き上げるとともに、腰紐を車椅子使用者の左右の脇腹に沿って後方に向かって延在させてから、腰紐の左右一対の先端部を車椅子の背もたれ用フレームの背面で互いに結び合わせる。
【特許文献１】特開平１０−２４８８７６号公報
【０００４】
上記従来の身体保持具によれば、つぎの（ａ）項〜（ｃ）項に記載の効果を奏する。
（ａ）認知症老人、身体麻痺者などの車椅子使用者に車椅子の座席シート上で正しい座位姿勢を確実に維持させることができる。
（ｂ）車椅子使用者の身体の自由を或る程度確保した状態でもって、車椅子使用者の身体を車椅子に保持することができる。
（ｃ）身体保持具を車椅子に対して取付けたり、取外したり、取外して洗濯したりするのが容易である。
【特許文献１】特開平１０−２４８８７６号公報
【発明の開示】
【発明が解決しようとする課題】
【０００５】
しかし、車椅子使用者が上記従来の身体保持具によって車椅子にその身体を保持された状態においては、縦方向に細長い長方形の腰布が猿股（さるまた）または褌（ふんどし）のように車椅子使用者の股間を通っている状態が前方からはっきりと見て取れる。このために、車椅子使用者が上記従来の身体保持具によって車椅子にその身体を拘束されている様子が外部からよく見えるから、車椅子使用者の精神的苦痛が大きく、しかも、見栄えも良くない。
【特許文献１】特開平１０−２４８８７６号公報
【０００６】
本発明は、上記従来の身体保持具における上述のような問題点を解消するために発明されたものであって、上記従来の身体保持具によって奏する前記（ａ）項〜（ｃ）項に記載の効果を保持しつつ、認知症老人、身体麻痺者などの椅子使用者の精神的苦痛を和らげることができるとともに、見栄えも比較的良好な椅子用身体保持具およびこのような椅子用身体保持具の使用方法を提供することを目的としている。
【特許文献１】特開平１０−２４８８７６号公報
【課題を解決するための手段】
【０００７】
本発明は、その第１の観点によれば、認知症老人、身体麻痺者などの椅子使用者の腹部および腿（もも）部にそれぞれ対応する腹覆い部および腿覆い部を少なくとも有する布部材と、上記椅子使用者の腰部を椅子に保持するために、上記腹覆い部に設けられた腰紐部と、上記布部材から上記椅子使用者の股間を前方から後方へと通って上記椅子に取付けられるために、その基端部側が上記布部材に連結されている股間紐部とを備えていることを特徴とする椅子用身体保持具に係るものである。この場合、上記布部材が上記椅子使用者の膝部に対応する膝覆い部をさらに有するのが好ましい。また、上記腰紐部が上記椅子使用者の背面で互いに結合することができる左右一対の腰紐部から構成されているのが好ましい。また、上記股間紐部の先端部側にループ状部分が設けられ、上記股間紐部が、上記腰紐部を上記ループ状部分に挿通させた状態でもって、上記腰紐部に結合され得るように構成されているのが好ましい。さらに、上記股間紐部の基端部が、上記布部材のうちの上記椅子使用者の股間の上端部にほぼ対応する部分で、上記布部材に連結されているのが好ましい。
【０００８】
また、本発明は、その第２の観点によれば、上記第１の観点による椅子用身体保持具によって椅子使用者の腰部を椅子の座部上に保持するようにした椅子用身体保持具の使用方法であって、上記布部材の上記腹覆い部および上記腿覆い部によって上記椅子使用者の上記腹部および上記腿部をそれぞれ覆うとともに、上記股間紐部を上記椅子使用者の股間と上記椅子の座部の下方とを通って上記椅子の後方へと延在させ、上記腰紐部を上記椅子使用者の左右一対の脇腹に沿って延在させるとともに、上記椅子使用者の背面で上記腰紐部に上記股間紐部を結合するようにしたことを特徴とする椅子用身体保持具の使用方法に係るものである。この場合、上記椅子が車椅子以外の椅子であってもよいが、車椅子であるのが好ましい。
【発明の効果】
【０００９】
本発明によれば、つぎの（Ａ）項〜（Ｅ）項に記載の効果を奏する。
（Ａ）認知症老人、身体麻痺者などの椅子使用者に車椅子などの椅子の座部上で正しい座位姿勢を確実に維持させることができる。
（Ｂ）認知症老人、身体麻痺者などの椅子使用者の身体の自由を或る程度確保した状態でもって、椅子使用者の身体を車椅子などの椅子に保持することができる。
（Ｃ）身体保持具を車椅子などの椅子に対して取付けたり、取外したり、取外して洗濯したりするのが容易である。
（Ｄ）身体保持具によって椅子使用者の身体を椅子に保持させた状態においては、股間紐部が猿股（さるまた）または褌（ふんどし）のように椅子使用者の股間を通っている状態が腹覆い部および腿覆い部ならびに場合によっては膝覆い部によって隠されていて前方から見え難いから、椅子使用者が身体保持具によって車椅子などの椅子に拘束されている様子が外部から見え難く、このために、椅子使用者の精神的苦痛が比較的少なく、しかも、見栄えも比較的良好である。
（Ｅ）椅子使用者の股間を前方から後方へと通して椅子に取付けるのが股間紐部であるが、この股間紐部を椅子使用者の股間に通す操作が比較的簡単であり、また、布部材として必要な布の量をできるだけ少なくすることができる。
【発明を実施するための最良の形態】
【００１０】
つぎに、本発明を車椅子用身体保持具に適用した一実施例を、「１、車椅子用身体保持具の構成」および「２、車椅子用身体保持具の使用方法」に項分けして、図面を参照しつつ説明する。
【００１１】
１、車椅子用身体保持具の構成
本実施例における車椅子用身体保持具１は、図１および図２に示すように、縦方向に長いほぼ長方形状の柔軟な布部材２と、この布部材２の上端部の左右両隅部に縫い付けなどにより止着されてほぼ左側外方およびほぼ右側外方に向かってそれぞれほぼ水平方向に延びている左右一対の腰紐部３ａ、３ｂと、上記布部材２の裏面のほぼ中央部分に縫い付けなどにより止着されてほぼ下方に向かってほぼ垂直方向に延びている股間紐部４とから構成されている。
【００１２】
図１および図２に示す布部材２としては、表布と裏布とを重ね合わせるとともに裏布の外周囲からはみ出している表布の外周部分を折返し、この折返し部分を裏布に縫い付けなどにより止着した二重構造の布を用いることができる。この二重構造の布の内部には、綿シート、芯布などを必要に応じて装入することができる。上記二重構造の布は、必要に応じて、キルティングを全面にまたは部分的に施されていてよい。上記二重構造の布は、そのほぼ五角形状の上側部分が表側から裏側に向かって折返され、この折返しによって、布部材２とほぼ同形であるほぼ長方形状の非折返し部５ａ上にほぼ逆五角形状の折返し部５ｂを有するほぼ長方形状の布部材２が構成されている。さらに、左右一対の腰紐部３ａ、３ｂおよび股間紐部４も、幅の広い布を扁平な状態に２つ折りにすることなどによって構成した二重構造であってよい。
【００１３】
したがって、布部材２を構成するための上記二重構造の布の上記表布は、表側から裏側に折返される上記折返し部分にほぼ相当する大きさだけ、上記裏布よりも大きいものが使用されている。また、折返し部５ｂを形成するために上記折返しを施される前の上記二重構造の布は、ほぼ長方形状の布部材２（換言すれば、非折返し部５ａ）の形状にほぼ逆五角形状の折返し部５ｂの形状を上下逆にして布部材２の上端部に付加した形状を有している。また、折返し部５ｂを形成するために上記二重構造の布を上述のように折返す際に、上記二重構造の布の非折返し部５ａと折返し部５ｂとの間に左右一対の腰紐部３ａ、３ｂの基端部６をそれぞれ挟み込み、これらの基端部６を非折返し部５ａと折返し部５ｂとの間にそれぞれ縫い付けなどにより止着することができる。また、この止着は、非折返し部５ａと折返し部５ｂとを縫い付けなどにより互いに止着する作業と同時に行うことができる。
【００１４】
図２に示す股間紐部４も、上記二重構造の布を上述のように折返す際に、この二重構造の布の非折返し部５ａと折返し部５ｂとの間にその基端部７を挟み込み、この基端部７を非折返し部５ａと折返し部５ｂとの間に縫い付けなどにより止着することができる。しかし、図示の実施例においては、股間紐部４の基端部７は、折返し部５ｂの下端部（換言すれば、ほぼ逆五角形状の下向きの頂角部であって、布部材２のうちの車椅子使用者１１の股間の上端部にほぼ対応する部分）に縫い付けなどにより止着されている。この股間紐部４には、その下方部分を表側から裏側に折返されることなどによって、その下端部付近に例えば上下２つのループ状部分８ａ、８ｂが形成されている。これらのループ状部分８ａ、８ｂのループは、図示の実施例においては、下側のループ状部分８ｂの方が上側のループ状部分８ａよりも大きくなっている。
【００１５】
縦方向に長いほぼ長方形状の布部材２は、図１および図２に示すように、この布部材２のうちの折返し部５ｂにほぼ相当する部分によって構成されているほぼ逆五角形状の腰覆い部１２と、布部材２のうちの非折返し部５ａのみで構成されている部分の下端部分で構成されている横方向に細長いほぼ長方形状の膝覆い部１３と、これらの腰覆い部１２と膝覆い部１３との間に介在している腿覆い部１４とから構成されている。そして、布部材２の縦方向の長さＬ１は、図示の実施例においては、約６０ｃｍであるが、腹覆い部１２、腿覆い部１４および膝覆い部１３の３つから成る部分（換言すれば、布部材２の腹覆い部１２およびその下方の部分）の縦方向の平均的な長さＬ１は、本発明においては、実用性の観点から見て一般的に、４０〜９０ｃｍの範囲であるのが好ましく、５０〜７５ｃｍの範囲であるのがさらに好ましい。また、布部材２の横方向の長さＬ２は、図示の実施例においては、約４８ｃｍであるが、腹覆い部１２、腿覆い部１４および膝覆い部１３の３つから成る部分（換言すれば、布部材２の腹覆い部１２およびその下方の部分）の横方向の平均的な長さＬ２は、本発明においては、実用性の観点から見て一般的に、３４〜６２ｃｍの範囲であるのが好ましく、４０〜５６ｃｍの範囲であるのがさらに好ましい。
【００１６】
図１および図２に示す左右一対の腰紐部３ａ、３ｂは、布部材２の上端部分とともに１つの腰紐を構成している。この腰紐は、左右一対の腰紐部３ａ、３ｂを互いに結び合わせることによって、車椅子使用者１１の腰部１５を車椅子１６の座席シート（換言すれば、座部）１７上に保持する。この腰紐の長さＬ３は、図示の実施例においては、約２０４ｃｍであるが、本発明においては、実用性の観点から見て一般的に、１４２〜２６６ｃｍの範囲であるのが好ましく、１７２〜２３６ｃｍの範囲であるのがさらに好ましい。また、左右一対の腰紐部３ａ、３ｂのうちの布部材２からそれぞれ突出している部分の長さＬ４は、図示の実施例においては、約７８ｃｍであるが、本発明においては、実用性の観点から見て一般的に、５４〜１０２ｃｍの範囲であるのが好ましく、６６〜９０ｃｍの範囲であるのがさらに好ましい。
【００１７】
図２に示す股間紐部４のうちの布部材２に止着されている部分を除く長さＬ５は、図示の実施例においては、約５８ｃｍであるが、本発明においては、実用性の観点から見て一般的に、４０〜７６ｃｍの範囲であるのが好ましく、４８〜６８ｃｍの範囲であるのがさらに好ましい。また、上側および下側のループ状部分８ａ、８ｂを図２に示すように２つ折りにした状態でのこれらのループ状部分８ａ、８ｂのそれぞれの長さＬ６、Ｌ７は、図示の実施例においては、約８ｃｍおよび約１０ｃｍであるが、これらのそれぞれの長さＬ６、Ｌ７は、本発明においては、実用性の観点から見て一般的に、４〜１５ｃｍの範囲であるのが好ましく、６〜１２ｃｍの範囲であるのがさらに好ましい。さらに、図１および図２に示す扁平な腰紐部３ａ、３ｂおよび扁平な股間紐部４のそれぞれの幅Ｗ１は、図示の実施例においては、約３ｃｍであるが、これらのそれぞれの平均的な幅Ｗ１は、本発明においては、実用性の観点から見て一般的に、２〜６ｃｍの範囲であるのが好ましく、２．５〜４．５ｃｍの範囲であるのがさらに好ましい。
【００１８】
２、車椅子用身体保持具の使用方法
本実施例において用いられる車椅子１６は、図３〜図５に示すように周知のものであってよく、ほぼ左右対称的に構成された左側の機構２１および右側の機構２２を備えていてよい。そして、これらの左側および右側機構２１、２２は、つぎの（ア）項〜（ク）項に記載の部材をそれぞれ備えていてよい。
（ア）その上端部にハンドル２３を有しかつほぼ垂直に延在している背もたれ用フレーム２４、
（イ）背もたれ用フレーム２４にその上端部を連結されたほぼ逆Ｌ字状の肘掛け用フレーム２５、
（ウ）背もたれ用フレーム２４の下端部および肘掛け用フレーム２５の下端部にそれぞれ連結されている下側フレーム２６、
（エ）背もたれ用フレーム２４の上下方向における中間部分にその後端部が連結されて前方へ向かって延在しかつその前端側の部分が斜め下方に向かって延在して下側フレーム２６の前端部に連結されている座部用フレーム２７、
（オ）肘掛け用フレーム２５のうちのほぼ水平に延在している上端側の部分に取付けられている肘掛け２８、
（カ）座部用フレーム２７の前端部に取付けられているフットレスト２９、
（キ）肘掛け用フレーム２５の下端部付近に取付けられている小径の前輪３０、および
（ク）座部用フレーム２７と下側フレーム２６との間において背もたれ用フレーム２４に取付けられている大径の後輪３１。
【００１９】
車椅子１６は、つぎの（ケ）項〜（シ）項に記載の部材をさらに備えていてよい。
（ケ）左右一対の背もたれ用フレーム２４の間に掛け渡された背もたれシート３２、
（コ）左右一対の座部用フレーム２７の間に掛け渡された前記座席シート（換言すれば、座部）１７、
（サ）それらの上端部を左右一対のの座部用フレーム２７にそれぞれ連結されかつそれらの下端部を右左一対のの下側フレーム２６に連結されるとともに互いにクロスしてクロス部分３６を有している一対の前側連結用フレーム３３ａ、３３ｂ、および
（シ）それらの上端部を左右一対の座部用フレーム２７にそれぞれ連結されかつそれらの下端部を右左一対の下側フレーム２６に連結されるとともに互いにクロスしてクロス部分３６を有している一対の後側連結用フレーム３４ａ、３４ｂ。
【００２０】
上述のように構成された図３〜図５に示す車椅子１６の座席シート１７上に認知症老人、身体麻痺者などの車椅子使用者１１を座らせる場合には、図１および図２に示す車椅子用身体保持具１をつぎのようにして使用することができる。
【００２１】
まず、車椅子使用者１１を車椅子１６の座席シート１７上に通常の姿勢で座らせる。このとき、車椅子使用者１１は、図３に示すように、左右一対の足３５ａ、３５ｂを左右一対のフットレスト２９上に置くことができる。ついで、介添人（図示せず）は、身体保持具１の布部材２を前掛けのように車椅子使用者１１の腰部３７、腿部３８および膝部３９上に掛ける。ついで、介添人は、左右一対の腰紐部３ａ、３ｂを車椅子使用者１１の左右一対の脇腹を通して左右一対の背もたれ用フレーム２４および背もたれシート３２の背面まで延在させる。この場合、左右一対の腰紐部３ａ、３ｂは、図４および図５に示すように、左右一対の肘掛け２８と左右一対の背もたれ用フレーム２４との間において肘掛け用フレーム２５に一回または複数回巻き付けられてから、背もたれ用フレーム２４および背もたれシート３２の背面まで延在させられることができ、この巻き付けによって、腰紐部３ａ、３ｂの長さを調節することもできる。また、股間紐部４を、車椅子使用者１１の左右一対の足３５ａ、３５ｂの間を通しかつ座席シート１７の下方を通してから上方に向かって引き上げることによって、左右一対の背もたれ用フレーム２４および背もたれシート３２の背面まで延在させる。この場合、股間紐部４は、一対の前側連結用フレーム３３ａ、３３ｂのクロス部分３６の下側および一対の後側連結用フレーム３４ａ、３４ｂのクロス部分３６の下側を通って（換言すれば、これらのクロス部分３６の下側に接触した状態で）座席シート１７を通っていてよい。ついで、介添人は、左右一対の腰紐部３ａ、３ｂの両方または一方を背もたれシート３２の背面付近で股間紐部４の上側および下側ループ状部分８ａ、８ｂの両方または一方に挿通させてから、これら左右一対の腰紐部３ａ、３ｂを蝶々結びなどにより互いに結び合わせる。この場合、腰紐部３ａ、３ｂを上側および下側ループ状部分８ａ、８ｂのうちのいずれに挿通させるのか、あるいは、両方に挿通させるのかは、車椅子使用者１１の体格などによって選択することもできる。この結び合わせによってできた結び目は、必要に応じて、上側または下側ループ状部分８ａ、８ｂに挿入して位置保持させることもできる。
【００２２】
上述のようにして車椅子使用者１１が身体保持具１によって車椅子１６に保持されると、左右一対の腰紐部３ａ、３ｂが車椅子使用者１１の腰部１５を座席シート１７上に確実に保持するとともに、股間紐部４が車椅子使用者１１の股部を座席シート１７上に確実に保持するから、車椅子使用者１１が座席シート１７上に正しい座位姿勢で確実に維持される。また、車椅子使用者１１の腹部３７、腿部３８および膝部３９は、身体保持具１の布部材２によって覆われているから、車椅子使用者１１の精神的苦痛が少なく、しかも、見栄えが良好である。
【００２３】
なお、車椅子使用者１１を車椅子１６の座席シート１７上から降ろしたいときなどは、座席シート１７上に座らせるときと逆の操作を行って身体保持具１を車椅子１６および車椅子使用者１１から取り外せばよい。また、身体保持具１の布部材２は、夏用、冬用などの用途によって布の厚み、材料などを変更することができる。
【００２４】
以上において、本発明の一実施例について詳細に説明したが、本発明は、この実施例に限定されるものではなく、特許請求の範囲に記載された発明の趣旨に基づいて各種の変更および修正が可能である。
【００２５】
例えば、上述の実施例においては、左右一対の腰紐部３ａ、３ｂを互いに結び合わせることによって結合するようにした。しかし、これら左右一対の腰紐部３ａ、３ｂに面ファスナの一方の面と他方の面とをそれぞれ設けてこれら一対の面を結合させることによって、上記左右一対の腰紐部３ａ、３ｂを互いに結合させるようにしてもよい。
【００２６】
また、上述の実施例においては、左右一対の腰紐部３ａ、３ｂと布部材２の上端部分とによって腰紐を構成したが、一本の腰紐の中間部分を布部材２に縫い付けなどにより止着することによって左右一対の腰紐部３ａ、３ｂを構成するようにしてもよい。
【００２７】
また、上述の実施例においては、左右一対の腰紐部３ａ、３ｂを互いにほぼ等しい長さに構成した。しかし、これら左右一対の腰紐部３ａ、３ｂのうちのいずれか一方を短くするとともに他方を長くして、車椅子使用者の脇腹付近で左右一対の腰紐部３ａ、３ｂを結合するようにしてもよい。また、左右一対の腰紐部３ａ、３ｂのうちのいずれか一方を省略するとともに他方を十分長くして、この他方の腰紐部３ａまたは３ｂの先端部を上述のような面ファスナなどにより布部材２に結合するようにしてもよい。
【００２８】
また、上述の実施例においては、布部材２は、腹覆い部１２、腿覆い部１４および膝覆い部１３から構成されている。しかし、布部材２が膝覆い部を備えている必要は必ずしもない。また、車椅子使用者１１の胸部４０に対応する胸覆い部が布部材２の腹覆い部１２の上端部に連設されていてもよい。この場合、上記胸覆い部を車椅子使用者１１に確実に取付けるために、ループ状または左右一対の首掛け紐などを胸覆い部に設けることができる。
【００２９】
また、上述の実施例においては、布部材２をほぼ長方形状に構成したが、その下端部側の左右両隅部および場合によってはその上端部側の左右両隅部にそれぞれアールを付けるなどして、ほぼ長方形状以外の形状にしてもよい。
【００３０】
また、上述の実施例においては、股間紐部４を左右一対の腰紐部３ａ、３ｂと結合するようにした。しかし、股間紐部４に設けたループ状部分８ａ、８ｂなどを車椅子１６の係止用突起部などに引っ掛けることなどによって、股間紐部４を車椅子１６に直接結合させるようにしてもよい。また、この股間紐部４も、腰紐部３ａ、３ｂと同様に、上述のような面ファスナなどによって腰紐部３ａ、３ｂ、背もたれシート３２、車椅子１６の任意のフレームなどに結合するようにしてもよい。
【００３１】
また、上述の実施例においては、股間紐部４の先端部付近に上下２つのループ状部分８ａ、８ｂを設けた。しかし、股間紐部４がこのようなループ状部分８ａ、８ｂを備えている必要は必ずしもなく、また、１つまたは上下３つ以上のループ状部分８ａ、８ｂを備えていてもよい。さらに、腰紐部３ａ、３ｂの先端部付近に同様のループ状部分８ａ、８ｂが設けられていてもよい。
【図面の簡単な説明】
【００３２】
【図１】本発明を車椅子用身体保持具に適用した一実施例における身体保持具の、前方の斜め下方から見た斜視図である。（実施例１）
【図２】図１に示す身体保持具の、後方の斜め上方から見た斜視図である。（実施例１）
【図３】図１に示す身体保持具を車椅子に使用した状態における車椅子の周辺全体の、前方の斜め上方から見た斜視図である。（実施例１）
【図４】図３に示す使用状態における車椅子の周辺全体の、後方の斜め上方から見た概略的な斜視図である。（実施例１）
【図５】図１に示す身体保持具を車椅子に装着する手順を示す車椅子の周辺全体の、後方の斜め上方から見た概略的な斜視図である。（実施例１）
【符号の説明】
【００３３】
１      車椅子用身体保持具（椅子用身体保持具）
２      布部材
３ａ    左側腰紐部
３ｂ    右側腰紐部
７      基端部
８ａ    上側ループ状部分
８ｂ    下側ループ状部分
１１    車椅子使用者（椅子使用者）
１２    腹覆い部
１３    膝覆い部
１４    腿覆い部
１５    腰部
１６    車椅子（椅子）
１７    座席シート（座部）
３７    腹部
３８    腿部
３９    膝部
【図１】
2006280701.tif 000003
【図２】
2006280701.tif 000004
【図３】
2006280701.tif 000005
【図４】
2006280701.tif 000006
【図５】
2006280701.tif 000007